(57)【要約】      （修正有）【課題】海岸や河川などの護岸を目的に設置する六脚ブロックを製造する鋼製の型枠の組み立てを補助する六脚型枠組立アシストシステムを提供する。【解決手段】吊ワイヤー１１を吊り上げると、クランプ用ワイヤーロープ１３が各柱４のワイヤーガイド６に案内されて引き上げられ、各型枠（側部三又）１９が内側に引き寄せられつつ持ち上がり、各型枠（側部三又）１９の縦フランジ２１同士が突き合わさり、その後、各型枠（側部三又）１９の横フランジ２０が位置決めバー５に当接して上面が位置決めされる。そこで、各型枠（側部三又）１９の縦フランジ２１の上方のボルト孔にボルトを締め付け固定して型枠（側部三又）１９の仮固定を行う。そして、吊ワイヤー１１を引き下げて地面に組立治具が着地する姿勢まで戻す。その後各クランプ１２を横フランジ２０から外し、吊ワイヤー１１を引き上げ、組立治具を型枠（側部三又）１９から抜き出す。【選択図】図６
0003197301.tif 000002
【実用新案登録請求の範囲】
【請求項１】
立方体状のウエイトコンクリートと、該ウエイトコンクリートの上端縁に載せられた角筒体状の型枠受けプレートと、前記ウエイトコンクリート内に下端を埋設され、前記型枠受けプレート内を通り垂直に固定された４本の柱と、該柱に固定され、前記型枠受けプレート上に井桁状に載置した位置決めバーと、前記各柱の上部に固定されたワイヤーガイドとから構成される組立治具と、クランプを先端に備える４本のクランプ用ワイヤーロープと、固定金具を先端に備える２本の吊下げ支持用ワイヤーロープと、前記両ワイヤーロープをまとめて支持する支持金具と、該支持金具に取り付けられて、クレーン等のフックに引っ掛けられるワイヤーリングとから構成される吊ワイヤーと、を組み合わせてなることを特徴とする六脚型枠組立アシストシステム。
【請求項２】
前記組立治具において、前記位置決めバーは、８本の単管パイプを使用し、前記型枠受けプレート上に井桁状に載置し、下側の２本の位置決めパイプが前記型枠受けプレート上に載り、上側の２本の支持パイプが前記下側の位置決めパイプの上に載るように配置し、下側の位置決めパイプが柱にパイプ接続金具により固定され、上側の支持パイプが下側の位置決めパイプにパイプ接続金具により固定され、前記上側の支持パイプの下方に沿って短尺の４本の位置決め補助パイプを前記型枠受けプレート上に載るようにパイプ接続金具により固定して、前記下側の位置決めパイプ及び前記下側の位置決めパイプに直交する短尺の位置決め補助パイプとにより位置決めを構成することを特徴とする請求項１記載の六脚型枠組立アシストシステム。
【請求項３】
前記吊ワイヤーにおいて、前記クランプは、Ｃ型クランプを使用し、シャックル２個を介してクランプ用ワイヤーロープに連結し、該クランプ用ワイヤーロープは、各柱のワイヤーガイドをそれぞれ通し、六脚型枠の鋼製の型枠のフランジに前記クランプが係合できる長さに形成され、前記固定金具は、シャックルを使用し、該シャックルを吊下げ支持用ワイヤーロープに連結し、前記固定金具は、型枠受けプレートの対向辺の点対称にあるリムのネジ孔にシャックルのネジ棒を挿入して固定し、前記吊下げ支持用ワイヤーロープは、前記クランプ用ワイヤーロープより長く形成され、吊ワイヤーを吊り上げた時に、最初に前記クランプ用ワイヤーロープが引き上げられ、その後に吊下げ支持用ワイヤーロープが引き上げられるようになっていることを特徴とする請求項１記載の六脚型枠組立アシストシステム。
【考案の詳細な説明】
【技術分野】
【０００１】
本考案は、六脚ブロックを製造する鋼製の型枠の組み立てを補助する六脚型枠組立アシストシステムに関するものである。
【背景技術】
【０００２】
従来、海岸や河川などの護岸を目的に設置する消波ブロック（又は「消波根固ブロック」ともいう。）は、かみ合わせを考慮し、形状が四脚ブロック、六脚ブロック、八脚ブロック、中空三角ブロック、ドーム型等様々のものがある。
六脚ブロック（非特許文献１を参照）は、中心にある立方体とその各面より６本の脚とから構成され、このようなブロックは通常、鋼製の型枠に流動状態のコンクリートを充填し、その固化を待って鋼製の型枠から取り外すことによって製造される。
【０００３】
この六脚ブロックの製作は、主に工事施工業者がブロックを取り扱う業者より鋼製の型枠のリースを受け、現場周辺でコンクリートを流し込み製作する。
他のコンクリートブロックのように工場製作しないのは、大量生産によるコストダウンのメリット以上に輸送コストが掛かるためである。そして、製作したブロックは、クレーン船などで現地に据え付ける。
【０００４】
上述したように、六脚ブロックの鋼製の型枠の組み立ては、工事施工作業者の手作業で行われ、かつ現場で行うため、製作に時間と労力が必要とされ、作業効率の悪いものであった。
そのため、六脚ブロックの鋼製の型枠の組み立てを補助する治具等の開発が望まれていた。
【先行技術文献】
【非特許文献】
【０００５】
【非特許文献１】『六脚ブロック』（技研興業株式会社）、日本消波根固ブロック協会カタログ、２００９．０５
【考案の概要】
【考案が解決しようとする課題】
【０００６】
本考案は、海岸や河川などの護岸を目的に設置する六脚ブロックを製造する鋼製の型枠の組み立てを補助する六脚型枠組立アシストシステムを提供することを目的とする。
【課題を解決するための手段】
【０００７】
本考案の六脚型枠組立アシストシステムは、立方体状のウエイトコンクリートと、該ウエイトコンクリートの上端縁に載せられた角筒体状の型枠受けプレートと、前記ウエイトコンクリート内に下端を埋設され、前記型枠受けプレート内を通り垂直に固定された４本の柱と、該柱に固定され、前記型枠受けプレート上に井桁状に載置した位置決めバーと、前記各柱の上部に固定されたワイヤーガイドとから構成される組立治具と、クランプを先端に備える４本のクランプ用ワイヤーロープと、固定金具を先端に備える２本の吊下げ支持用ワイヤーロープと、前記両ワイヤーロープをまとめて支持する支持金具と、該支持金具に取り付けられて、クレーン等のフックに引っ掛けられるワイヤーリングとから構成される吊ワイヤーと、を組み合わせてなる。
【０００８】
前記組立治具において、前記位置決めバーは、８本の単管パイプを使用し、前記型枠受けプレート上に井桁状に載置し、下側の２本の位置決めパイプが前記型枠受けプレート上に載り、上側の２本の支持パイプが前記下側の位置決めパイプの上に載るように配置し、下側の位置決めパイプが柱にパイプ接続金具により固定され、上側の支持パイプが下側の位置決めパイプにパイプ接続金具により固定され、前記上側の支持パイプの下方に沿って短尺の４本の位置決め補助パイプを前記型枠受けプレート上に載るようにパイプ接続金具により固定して、前記下側の位置決めパイプ及び前記下側の位置決めパイプに直交する短尺の位置決め補助パイプとにより位置決めを構成する。
【０００９】
前記吊ワイヤーにおいて、前記クランプは、Ｃ型クランプを使用し、シャックル２個を介してクランプ用ワイヤーロープに連結し、該クランプ用ワイヤーロープは、各柱のワイヤーガイドをそれぞれ通し、六脚型枠の鋼製の型枠のフランジに前記クランプが係合できる長さに形成され、前記固定金具は、シャックルを使用し、該シャックルを吊下げ支持用ワイヤーロープに連結し、前記固定金具は、型枠受けプレートの対向辺の点対称にあるリムのネジ孔にシャックルのネジ棒を挿入して固定し、前記吊下げ支持用ワイヤーロープは、前記クランプ用ワイヤーロープより長く形成され、吊ワイヤーを吊り上げた時に、最初に前記クランプ用ワイヤーロープが引き上げられ、その後に吊下げ支持用ワイヤーロープが引き上げられるようになっている。
【考案の効果】
【００１０】
本考案の六脚型枠組立アシストシステムは、組立治具と吊ワイヤーとを組み合わせてなり、吊ワイヤーの吊り上げにより、組立治具と鋼製の型枠とを同時にクレーン等で吊り上げる作業のみで、その場で短時間に効率良く鋼製の型枠の組み立てを完成させることができる。
【図面の簡単な説明】
【００１１】
【図１】本考案の六脚型枠組立アシストシステムの組立治具の一部断面正面図である。
【図２】組立治具の平面図である。
【図３】本考案の六脚型枠組立アシストシステムの吊ワイヤーの正面図である。
【図４】本考案の六脚型枠組立アシストシステムの組立治具と吊ワイヤーの結合状態を示す要部断面正面図である。
【図５】本考案の六脚型枠組立アシストシステムの組立作業手順その１を示す説明図である。
【図６】本考案の六脚型枠組立アシストシステムの組立作業手順その２を示す説明図である。
【図７】本考案の六脚型枠組立アシストシステムの組立作業手順その３を示す説明図である。
【図８】本考案の六脚型枠組立アシストシステムの組立作業手順その４を示す説明図である。
【図９】六脚型枠の完成までの組立作業手順を示す説明図である。
【考案を実施するための形態】
【００１２】
本考案の六脚型枠組立アシストシステムの一実施例を添付図面に基づいて、以下に説明する。
本考案の六脚型枠組立アシストシステムに使用される組立治具１は、図１の一部断面正面図に示すように、立方体状のウエイトコンクリート２と、該ウエイトコンクリート２の上端縁に載せられた角筒体状の型枠受けプレート３と、前記ウエイトコンクリート２内に下端を埋設され、前記型枠受けプレート３内を通り垂直に固定された４本の柱４と、該柱４に固定され、前記型枠受けプレート３上に井桁状に載置した位置決めバー５と、前記各柱４の上部に固定されたワイヤーガイド６とから構成される。
【００１３】
前記ウエイトコンクリート２は、六脚ブロックの中心となる立方体と略同一形状とし、吊り上げた時に、組立治具１が垂直姿勢となるための錘（おもり）となっている。
【００１４】
前記型枠受けプレート３は、メタルフォーム（鋼製型枠）により角筒体に形成され、六脚型枠の鋼製の型枠のガイドとなるように図２の平面図に示すように、前記ウエイトコンクリート２の正方形の上面周縁に載置される。その型枠受けプレート３内の空間を柱４が通るようになっている。
【００１５】
前記柱４は、４本の単管パイプを使用し、図１に示すように、下端に抜け防止のためのアンカー金具７を固定し、上端に後述する吊ワイヤー１１のクランプ用のワイヤーロープ１３を案内するワイヤーガイド６を固定する。前記柱４は、前記型枠受けプレート３内を通り、図２の平面図に示すように、正方形の辺に沿って２本ずつ対向するように、上部が前記型枠受けプレート３より上方に出るようにして、下部を前記ウエイトコンクリート２内に埋設して垂直に立設する。
【００１６】
前記位置決めバー５は、８本の単管パイプを使用し、図１、図２に示すように、前記型枠受けプレート３上に井桁状に載置し、下側の２本の位置決めパイプ８が前記型枠受けプレート３上に載り、上側の２本の支持パイプ９が前記下側の位置決めパイプ８の上に載るように配置される。
そして、下側の位置決めパイプ８が柱４にパイプ接続金具により固定され、上側の支持パイプ９が下側の位置決めパイプ８にパイプ接続金具により固定される。
さらに、前記上側の支持パイプ９の下方に沿って短尺の４本の位置決め補助パイプ１０を前記型枠受けプレート３上に載るようにパイプ接続金具により固定して、前記下側の位置決めパイプ８及び前記下側の位置決めパイプ８に直交する短尺の位置決め補助パイプ１０とにより位置決めバー５を構成する。
【００１７】
前記ワイヤーガイド６は、前記各柱４の上部に固定され、アイボルトを使用し、後述する吊ワイヤー１１のクランプ用のワイヤーロープ１３を挿通する。
【００１８】
また、本考案の六脚型枠組立アシストシステムに使用される吊ワイヤー１１は、図３の正面図に示すように、クランプ１２を先端に備える４本のクランプ用ワイヤーロープ１３と、固定金具１４を先端に備える２本の吊下げ支持用ワイヤーロープ１５と、前記両ワイヤーロープをまとめて支持する支持金具１６と、該支持金具１６に取り付けられて、クレーン等のフックに接続されるワイヤーリング１７とから構成される。
【００１９】
前記クランプ１２は、Ｃ型クランプを使用し、シャックル２個を介してクランプ用ワイヤーロープ１３に連結する。
【００２０】
前記クランプ用ワイヤーロープ１３は、各柱４のワイヤーガイド６をそれぞれ通し、六脚型枠の鋼製の型枠のフランジに前記クランプ１２が係合できる長さに形成される。
【００２１】
前記固定金具１４は、シャックルを使用し、該シャックルを吊下げ支持用ワイヤーロープ１５に連結する。前記固定金具１４は、図４の要部断面正面図に示すように、型枠受けプレート３の対向辺（図上では手前側と奥側）の点対称にあるリム１８のネジ孔にシャックルのネジ棒を挿入して固定する。
【００２２】
前記吊下げ支持用ワイヤーロープ１５は、前記クランプ用ワイヤーロープ１３より長く形成され、吊ワイヤー１１を吊り上げた時に、最初に前記クランプ用ワイヤーロープ１３が引き上げられ、その後に吊下げ支持用ワイヤーロープ１５が引き上げられるようになっている。
【００２３】
前記支持金具１６は、前記クランプ用ワイヤーロープ１２及び前記吊下げ支持用ワイヤーロープ１５をまとめて支持することができる大型のシャックルを使用する。
【００２４】
前記ワイヤーリング１７は、ワイヤーロープによりリング状に形成し、クレーン等のフックを引っ掛けて使用する。
【００２５】
次に、本考案の六脚型枠組立アシスト方法を作業手順にしたがって添付図面に基づいて、以下に説明する。
図５の組立作業手順その１の説明図に示すように、地面に組み立てする六脚型枠の鋼製の型枠（側部三又）１９を十字状になるように配置し、次にクレーン等で吊ワイヤー１１により組立治具１を吊り上げて、上方より型枠（側部三又）１９内に組立治具１を挿入する。
【００２６】
図６の組立作業手順その２の説明図に示すように、前記組立治具１は、型枠（側部三又）１９に挿入後地面に載置され、吊ワイヤー１１のクランプ用ワイヤーロープ１３は弛んだ状態となり、４個のクランプ１２を各型枠（側部三又）１９の横フランジ２０にそれぞれ固定する。
【００２７】
図７の組立作業手順その３の説明図に示すように、次に、吊ワイヤー１１を吊り上げると、クランプ用ワイヤーロープ１３が各柱４のワイヤーガイド６に案内されて引き上げられ、各型枠（側部三又）１９が内側に引き寄せられつつ持ち上がり、各型枠（側部三又）１９の縦フランジ２１同士が突き合わさり、その後、各型枠（側部三又）１９の横フランジ２０が位置決めバー５に当接して各型枠（側部三又）１９の上面が位置決めされる。そこで、各型枠（側部三又）１９の縦フランジ２１の上方のボルト孔にボルト２２を締め付け固定して型枠（側部三又）１９の仮固定を行う。そして、吊ワイヤー１１を引き下げて型枠（側部三又）１９が地面に着地する図６に示すようなクランプ用ワイヤーロープ１３が弛んだ姿勢まで戻す。
【００２８】
図８の組立作業手順その４の説明図に示すように、地面に型枠（側部三又）１９が着地した状態では各型枠（側部三又）１９がボルト２２で締め付け固定された状態で地面に載置される。
クランプ用ワイヤーロープ１３は弛んでいるので、各クランプ１２を横フランジ２０から外し、吊ワイヤー１１を引き上げ、組立治具１を型枠（側部三又）１９から抜き出す。
このようにして、六脚型枠の鋼製の型枠（側部三又）１９の組み立てアシストが完了し、図９の説明図に示す１．側部三又組立の状態となる。
【００２９】
さらに、六脚ブロックを完成するためには、図９に示す作業手順１〜５により行われる。
１．側部三又組立：上述した六脚型枠組立アシスト方法により組立形成される。
２．底板組立：開口している脚に底板を固定する。
３．反転：底板を固定したら、型枠の上下を反転する。
４．上部Ｌ板組立：Ｌ字状の板２枚を組み合わせて脚を形成する。
５．上蓋組立：開口している４つの脚に上蓋を固定する。
このようにして、工事施工作業者の手作業で六脚ブロックの型枠を完成し、この型枠に流動状態のコンクリートを充填する。
【符号の説明】
【００３０】
１  組立治具
２  ウエイトコンクリート
３  型枠受けプレート
４  柱
５  位置決めバー
６  ワイヤーガイド
７  アンカー金具
８  位置決めパイプ
９  支持パイプ
１０  位置決め補助パイプ
１１  吊ワイヤー
１２  クランプ
１３  クランプ用ワイヤーロープ
１４  固定金具
１５  吊下げ支持用ワイヤーロープ
１６  支持金具
１７  ワイヤーリング
１８  リム
１９  型枠（側部三又）
２０  横フランジ
２１  縦フランジ
２２  ボルト
【図１】
0003197301.tif 000003
【図２】
0003197301.tif 000004
【図３】
0003197301.tif 000005
【図４】
0003197301.tif 000006
【図５】
0003197301.tif 000007
【図６】
0003197301.tif 000008
【図７】
0003197301.tif 000009
【図８】
0003197301.tif 000010
【図９】
0003197301.tif 000011